(57)【要約】【課題】扇風機形ストーブの梱包才数の削減で、使用者の収納場所の確保と生産者の輸送費、倉庫費の負担の低減を図り、使用者の負担を最小限にすると共に経済的効果と安全性を向上させた扇風機タイプの電気ストーブの実現を図る。【解決手段】ベース部１１を操作部分２１と枠部２２に分割し、しかも操作部分２１のベース部１１のスペースをヘッド部１４の上面からの投影寸法と同等して、ベース部１１の寸法を小さくして梱包才数を下げると共に配線を操作部分のベース部１１で完結させることにより、使用者側の保管スペースの削減、組立ての負担も最小限に押さえることができるため、使用者の負担を最小限にすると共に経済的効果と安全性を向上させた扇風機タイプの電気ストーブが実現できるようになる。【選択図】図１
2005249292.tif 000002
【特許請求の範囲】
【請求項１】
ベース部と、前記ベース部の上部に設けられる胴体部と、前記胴体部の上方に位置するヘッド部と、前記ヘッド部の前方に配置され、前記ヘッド部により支持される発熱部とを備え、前記発熱部は、ヒータ、及び、前記ヒータにより発生される熱を前方に向けて反射するように曲面状の反射板を配設し、前記ベース部に操作部を備え、前記ベース部を操作部分とその枠部分に分割し、操作部分は前記ヘッド部の上面からの投影寸法と同等にした電気ストーブ。
【請求項２】
電気部品および配線は全てベース部の操作部分内に設けた請求項１に記載の電気ストーブ。
【請求項３】
着脱できる枠部分と操作部分との接続に接続ビスを用いた請求項１に記載の電気ストーブ。
【請求項４】
着脱できる枠部分と操作部分との接続に接続ビスを用いない構成とした請求項１に記載の電気ストーブ。
【請求項５】
着脱できる枠部分を丸型形状にした請求項１に記載の電気ストーブ。
【請求項６】
着脱できる枠部分を多角型形状にした請求項１に記載の電気ストーブ。
【請求項７】
着脱できる枠部分を透明系統の材質で構成した請求項１に記載の電気ストーブ。
【請求項８】
着脱できる枠部分を透明系統の材質で構成し、その部分に光源を設置した請求項１に記載の電気ストーブ。
【請求項９】
着脱できる枠部分を金属で構成した請求項１に記載の電気ストーブ。
【請求項１０】
枠部分を除いた操作部分のみでは自立することができないように構成した請求項１または２記載の電気ストーブ。
【発明の詳細な説明】
【技術分野】
【０００１】
本発明は、電気暖房器具の特に電気ストーブに関するものである。
【背景技術】
【０００２】
従来、電気ストーブは種々の構成があり、近年、その中でハロゲンヒータを用いた扇風機形ストーブが用いられるようになり、この種の電気ストーブは外観を扇風機に似せてあり、持ち運びが容易で扱いやすいという利点がある（例えば、特許文献１、２参照）。
【０００３】
前記公報に記載された暖房装置は、図６、図７に示すように扇風機と同様に、ベース部１と、このベース部１の上部に設けられる胴体部２と、この胴体部２の上方に位置するヘッド部３とを備えている。扇風機の場合は、このヘッド部３の前方に羽根を有する送風部が配置されるが、暖房装置の場合は、送風部ではなく発熱部が配置される。そしてベース部は、胴体部２と一体、もしくは分離できるものの操作部は胴体部に設けられている。
【特許文献１】実用新案登録第２５３４８８６号公報（第７図）
【特許文献２】実用新案登録第３０８５５３６号公報（第８図）
【発明の開示】
【発明が解決しようとする課題】
【０００４】
しかしながら上記従来の構成の電気ストーブは、転倒角度の規定（前後左右に所定の角度傾けても転倒しないこと）があるため、ベース部の外形をある程度大きくせざるを得ず、結果的に梱包才数が大きくなり、収納時大きなスペースをとることになり、収納場所の確保の面からも問題であった。また生産者側から見ると昨今の事情から海外での生産、国内への輸入となればコンテナへの積載量に影響し、輸送費、倉庫費の負担も大きくなるものである。
【０００５】
一方、胴体部とベース部とが分離されているものは胴体部に操作部があり、操作性に問題があった。また梱包から取り出した後に使用者がベース部を組立てすることになり、配線部の露出に対する安全性や扇風機のようなモータ機器とは違い、発熱機器であるため電気容量も大きく、コネクターでの接続方式では無理があるなど多くの課題があった。
【０００６】
そこで本発明は電気ストーブのベース部を操作部分と枠部部分に分割し、しかも操作部分のスペースを前記ヘッド部の上面からの投影寸法と同等して、ベース部の操作部分の寸法を小さくして梱包才数を下げると共に配線を操作部分で完結させることにより、使用者側の保管スペースの削減、組立ての負担も最小限に押さえることができるため、使用者の負担を最小限にすると共に経済的効果と安全性を向上させた扇風機タイプの電気ストーブの実現を目的としたものである。
【課題を解決するための手段】
【０００７】
前記従来の課題を解決するために、本発明の電気ストーブは、ベース部と、このベース部の上部に設けられる胴体部と、この胴体部の上方に位置するヘッド部とを備え、前記ベース部は、操作部分と枠部分に分割し、操作部分のスペースを前記ヘッド部の上面からの投影寸法と同等して、ベース部の操作部分の寸法を小さくすると共に全ての配線処理を操作部分で完結した構成としてある。
【発明の効果】
【０００８】
本発明の電気ストーブのベース部は、操作部分と枠部分で構成し梱包時は枠部分を取り外すことにより、梱包才数を削減することができ、組立て時には枠部分を操作部分に取り付けるだけで済み、使用者の収納性の向上、組立性の負担は最小限にすることができ、生産者側は経済性を向上させることとなり、使用性と経済性の高い暖房装置が実現できるようになる。
【発明を実施するための最良の形態】
【０００９】
第１の発明は、ベース部と、このベース部の上部に設けられる胴体部と、この胴体部の上方に位置するヘッド部と、このヘッド部の前方に配置され、このヘッド部により支持される発熱部とを備え、発熱部は、ヒータ、及び、このヒータにより発生される熱を前方に向けて反射するように曲面状の反射板を配設するとともに、発熱部からの保護として、保護ガードを備えた構成としてある。
【００１０】
そして、ベース部は、操作部を備え、前記ベース部を操作部分とその枠部分に分割し、操作部分は前記ヘッド部の上面からの投影寸法と同等にし、その周囲に前記枠部分を構成することにより、梱包時の才数が削減でき、使用終了時は使用者の収納性の向上、生産者側は運送費、倉庫費などが削減できて経済性を向上させることとなり、使用性と経済性の高い暖房装置が実現できるようになる。
【００１１】
第２の発明は、ベース部を操作部分とその枠部分に分割し、電気部品および配線は全て操作部分で完結させるように構成してある。
【００１２】
そして、操作部分の底面には底面カバーを取り付けた構成してあるので、使用者が使用時に操作部分とその枠部分を組み立てる際、不用意に充電部に触れる可能性がなく、使用者側の安全と共に製品自体の不安全要素がなくなるため、安心で使い勝手の高い暖房装置の実現できるようになる。
【００１３】
第３の発明は、着脱できる枠部分と操作部分の接続を蝶ナットなど接続ビスを用いた構成としてある。
【００１４】
そして、前記枠部分と操作部分の接続を、工具などを用いずに接続できるため簡単に組立てでき、使用者の組立てに対する不安、面倒さを解消することになり、安心で使い勝手の高い暖房装置の実現できるようになる。
【００１５】
第４の発明は、着脱できる枠部分と操作部分の接続を接続ビスを用いない構成としてある。
【００１６】
そして、枠部分と操作部分の接続をワンタッチの嵌め込みとしたことにより、より簡単に組立てでき、使用者の組立てに対する不安、面倒さを解消することになり、安心で使い勝手の高い暖房装置の実現できるようになる。
【００１７】
第５の発明は、着脱できる枠部分を丸型形状にした構成してある。
【００１８】
そして、丸型形状にすることにより、全方位での転倒角度が確保でき、製品の安定と転倒に対する安全性を向上させることができるようになる。
【００１９】
第６の発明は、着脱できる枠部分を多角形状にした構成してある。そして、多角形状にすることにより、本体部分は変更しなくても枠部分を例えば角型、三角形状などに展開することで、デザイン的に新しさを出すことができ、少ない投資でモデルチエンジができるため、経済性の高い暖房装置が実現できるようになる。
【００２０】
第７の発明は、着脱できる枠部分を透明系統の材質で構成してある。そして、透明系統の材質で構成することにより、本体部分は変更しなくても枠部分を例えば透明系の色々な色展開することで、製品展開の拡大が図れ、少ない投資でデザイン的にも清潔さと新しさを出すことができるため、経済性の高い暖房装置が実現できるようになる。
【００２１】
第８の発明は、着脱できる枠部分を透明系統の材質で構成し、その部分に光源を設置してある。そして、透明系統の材質で光源を設置することにより、下部ベース部分からも暖かさが強調され、他社との差別化も図ることができ、快適で訴求効果の高い暖房装置が実現できるようになる。
【００２２】
第９の発明は、着脱できる枠部分を金属で構成し、そして、金属で構成することにより本体全体の重心位置が下がり、本体の転倒に対して強くなり、転倒角度の確保のため大きくしているベース部の外形寸法も小さくできることになり、デザイン面でのまとまりも向上するため、安全面とデザイン的訴求効果の高い暖房装置が実現できるようになる。
【００２３】
第１０の発明は、枠部分を除いた操作部分のみでは自立することができないように構成してある。そして、操作部分のみでは自立することができないように構成することにより、使用者が枠部分を万一取付けない場合には使用できないようにすることにより、操作部分のみの転倒角度の保証されない不安全な使用を防止することができるため、万一の枠部分、操作部分の組立て不具合にたいしても、安全性の高い暖房装置が提供できるようになる。
【００２４】
以下、本発明の実施の形態について、図面を参照しながら説明する。なお、この実施の形態によって本発明が限定されるものではない。
【００２５】
（実施の形態１）
図１は、本発明の実施の形態１における電気ストーブの正面図、図２は、同電気ストーブの概略縦断面図、図３は、同電気ストーブの上面図、図４は、同電気ストーブのベース部の要部断面図、図６は制御ブロック図である。
【００２６】
図１、図２、図３及び図４において、１１は、室内の床面上に設置される広い平面部を有するベース部で、ベース部１１の上部に上下方向に細長形状の胴体部１２が配設してあり、さらにこの胴体部１２の上部にネック部１３と、このネック部１３の上部にヘッド部１４が配設してあり、またヘッド部１４の前方には発熱部１５を備えている。
【００２７】
発熱部１５は、その中央部に熱源となるハロゲンヒータ１６と、このハロゲンヒータ１６の前方に使用者がハロゲンヒータ１６の光を直接見えないようにハロゲンヒータ１６ー部の前面部と側面側を覆うように構成した遮光板１７と、ハロゲンヒータ１６の後方にハロゲンヒータ１６の熱源を効果的に反射させる反射板１８と、ハロゲンヒータ１６を固定する支持部１９と、安全性等の理由よりハロゲンヒータ１６や反射板１８を使用者が直接触れることのないように発熱部の前面に配設されたガード部２０から形成されている。
【００２８】
そして、ベース部１１は操作部２３を有する操作部分２１とその周囲を囲むように構成した枠部分２２とに分離されている。また、図６の制御ブロック図に示すように、使用者は、操作部２３を操作することで、該電気ストーブの暖房を行なうようになり、例えば、操作部２３の暖房入り・切りＳＷ２３ａをＯＮ／ＯＦＦさせることで、制御部２４のヒータ制御部２４ａがハロゲンヒータ１６の通電をＯＮ／ＯＦＦし、暖房の入り・切りを行うようになり、また、首振り入り・切りＳＷ２３ｂをＯＮ／ＯＦＦさせることで、首振り手段制御部２４ｂが首振り手段（図示せず）の入り・切りを行うようになっている。
【００２９】
尚、操作部分２１の平面的な大きさは前記ヘッド部１４の上面からの投影寸法と同等にしている。梱包時は操作部分２１と枠部分２２は分離して梱包し、使用時に接続ビスである蝶ボルト２５で連結し組み立てる。万一操作部分２１のみで使用しようとしても、操作部分２１の底板２６が球面になっているため、立つことができず、枠部分２２の接続なしでは使用することができない。操作部分２１と枠部分２２の接続構成は図４に示した構成が基本だが、工具を使用しない接続構成であれば、どのような構成でも良い。
【００３０】
ここで、枠部分２２を丸型形状にすることにより、全方位での転倒に対する転倒角度が保証でき、安全性の向上がはかれる。また枠部分２２を透明系の材料によるカラー展開図ることにより、金型の投資をすることなく少ない部品の材料変更のみで、清新なデザインの商品展開が図れる。また操作部分２１と枠部２２の分離により、図３に示すＡ＋Ｂ寸法分が梱包寸法として削減することができるため、使用者にとっては保管スペースの削減、生産者にとっては運送費、倉庫費の削減が図れるため経済的効果が大きく、使用性と経済性の高い暖房装置が実現できるようになる。
【００３１】
なお、本実施例においては発熱部１５のヒータとして、ハロゲンヒータの例を示して説明したが、ヒータはハロゲンヒータ以外のヒータ、例えばニクロム線ヒータ、シーズヒータ等の他のヒータであっても同様に実施できることは言うまでもない。
【００３２】
（実施の形態２）
図５は、本発明の実施の形態２における電気ストーブのベース部の要部断面図である。
図５において、既に説明した電気ストーブと同じ構成については説明を省略し、異なる構成についてのみ説明する。
【００３３】
操作部分２１の底板２６に角穴を４ヶ所設け、それに対応する枠部分２２に爪部２７を構成し、また枠部分２２には照明装置２８が取り付けられている。
【００３４】
以上のように構成されたベ操作部分２１と枠部分２２について、以下その動作、作用を説明する。
【００３５】
操作部分２１と枠部分２２の接続については枠部分２２に爪部２７を操作部分２１の角穴に挿入することで操作部分２１と枠部分２２を締結する。
【００３６】
また枠部分２２は透明系の材料でできており、枠部分２２に設置された光源である照明装置２８が運転時に点灯することにより、枠部分２２よりほんのりと明かりが浮かび上がり、視覚効果により、より暖かく感じることができるものである。
【００３７】
このように組立性が良く、訴求効果の高い電気ストーブを提供することができる。操作部分２１と枠部分２２の接続構成は図５に示した構成が基本だが、工具を使用しない接続構成であれば、どのような構成でも良い。
【産業上の利用可能性】
【００３８】
以上のように本発明は、ベース部を操作部分とその枠部分に分離することにより、梱包時は枠部を取り外すことにより、梱包才数を削減することができ、組立て時には枠部分を操作部分に取り付けるだけで済み使用者の収納性の向上、組立性の負担は最小限にすることができ、生産者側は経済性の向上、デザイン面での展開の拡大も図ることができ、訴求効果の高い、使用性と経済性の高い暖房装置が実現できるようになるとともに快適性の高い暖房装置の実現できるようになるので、単なる電気ストーブ、あるいは扇風機や空気清浄機等の用途にも適用できる。
【図面の簡単な説明】
【００３９】
【図１】本発明の実施の形態１における電気ストーブの正面図
【図２】同実施の形態１における電気ストーブの概略縦断面図
【図３】同実施の形態１における電気ストーブの上面図
【図４】同実施の形態１における電気ストーブのベース部の要部断面図
【図５】同実施の形態２における電気ストーブのベース部の要部断面図
【図６】同実施の形態１における電気ストーブの制御ブロック図
【図７】従来の電気ストーブの斜視図
【図８】従来の電気ストーブの斜視図
【符号の説明】
【００４０】
１１  ベース部
１２  胴体部
１４  ヘッド部
１５  発熱部
１６  ハロゲンヒータ（ヒータ）
１８  反射板
２１  操作部分
２２  枠部分
２３  操作部
２５  蝶ボルト（接続ビス）
２６  操作部分の底板
２８  照明装置（光源）
【図１】
2005249292.tif 000003
【図２】
2005249292.tif 000004
【図３】
2005249292.tif 000005
【図４】
2005249292.tif 000006
【図５】
2005249292.tif 000007
【図６】
2005249292.tif 000008
【図７】
2005249292.tif 000009
【図８】
2005249292.tif 000010